(57)【要約】【課題】表示領域ごとに透過照明される表示手段において表示領域に発生するエッジ光を低減させた表示装置を提供する。【解決手段】表示装置１は、２以上の表示領域１１ａ、１１ｂを有する表示手段１１と、これを透過照明する光源１２ａ、１３ａとを備え、これが発する光を導いて表示領域１１ａ、１１ｂを透過照明させる導光手段１２，１３を、表示領域１１ａ、１１ｂごとに備え、隣接する表示領域１１ａ、１１ｂを透過照明させる導光手段１２、１３において、導光手段１２を、導光手段１３より表示手段１１側に配設し、導光手段１２が、導光手段１３を表示手段１１側から覆う透光性部１２ｄを備え、透光性部１２ｄが、導光手段１２において表示領域１１ａ、１１ｂの境界１１ｄの背後から全表示領域１１ａ、１１ｂより外側の背後まで延出し、且つ、エッジ発光させる端部Ａ１を含む角部が全表示領域１１ａ、１１ｂ内の背後で形成されないように設けられている。【選択図】図３
2008026854.tif 000002
【特許請求の範囲】
【請求項１】
２以上の表示領域を有する表示手段と、
前記表示領域を透過照明する光源とを備え、
前記光源の発する光を導いて前記表示領域を透過照明させる導光手段を、前記表示手段の背後側に表示領域ごとに備え、
隣接する前記表示領域を透過照明させる前記導光手段において、一方の導光手段を、他方の導光手段より前記表示手段側に配設し、
前記一方の導光手段は、前記他方の導光手段を前記表示手段側から覆う透光性部を備え、
前記透光性部は、前記一方の導光手段において前記隣接する前記表示領域の境界の背後から全表示領域より外側の背後まで延出し、且つ、エッジ発光させる端部を含む角部が該全表示領域内の背後で形成されないように設けられ、
前記他方の導光手段は、前記透光性部を通して前記表示領域を透過照明させるように構成されていることを特徴とする表示装置。
【請求項２】
前記表示領域を、前記表示手段において縦方向と横方向の少なくとも一方の方向へ配列することを特徴とする請求項１に記載の表示装置。
【請求項３】
前記導光手段は、導入した前記光源が発する光を前記表示領域へ反射する第１反射部と、導入した該光源が発する光を該第１反射部へ反射する第２反射部と、該光源が発する光を該第２反射部へ導く光導入部とを備え、
前記光導入部は、前記第１反射部と第２反射部の距離を延長するように構成されていること特徴とする請求項１または請求項２に記載の表示装置。
【請求項４】
前記一方の導光手段が備える前記第１反射部は、前記他方の導光手段に形成されているエッジ発光させる端部を含む角部を前記表示手段側から覆うように形成され、且つ、前記透光性部に形成されていないことを特徴とする請求項３に記載の表示装置。
【請求項５】
前記一方の導光手段は、導入した前記光源が発する光を前記表示領域へ反射する第１反射部を備え、
前記第１反射部は、前記他方の導光手段に形成されているエッジ発光させる端部を含む角部を前記表示手段側から覆うように形成され、且つ、前記透光性部に形成されていないことを特徴とする請求項１または請求項２に記載の表示装置。
【請求項６】
前記表示領域が表示領域ごとに異なる種類の光で透過照明されるように構成されていることを特徴とする請求項１ないし請求項５のいずれか一項に記載の表示装置。
【請求項７】
前記光源は、異なる種類の光を発する光源を表示領域ごとに設けることによって構成されていることを特徴とする請求項６に記載の表示装置。
【請求項８】
前記異なる種類の光は、光の色と光の強度の少なくとも一方が異なる光であることを特徴とする請求項６または請求項７に記載の表示装置。
【請求項９】
指標部を有する文字盤と、
前記文字盤の目視側前面に沿って回動する指針と、
前記指針を回動させる回動内機と、
前記回動内機が実装された配線基板とを備え、
前記表示手段は、前記指針より目視側であって前記指標部より該指針の回転中心側に配置され、
前記光源は、前記配線基板に実装されていることを特徴とする請求項１ないし請求項８のいずれか一項に記載の表示装置。
【発明の詳細な説明】
【技術分野】
【０００１】
本発明は、複数の表示領域を有する表示手段を備えた表示装置に関するものである。
【背景技術】
【０００２】
近年、車両用の表示装置で表示される情報の個数が増加しているが、表示装置が設置されるダッシュボードには、車室内空調装置やエアバッグ等が搭載され、これら機器や装置の種類が増加する傾向にある。このため、限られたスペースで多くの情報を表示できる表示装置が、要望されている。
【０００３】
例えば、指針計器を備え、指針計器の目視側（視認者側）であって指針の回転中心側に所望の情報を表示する液晶パネルを設け、少なくとも指針計器の指針の一部が液晶パネルの周囲に露出するように構成した表示装置がある（特許文献１参照）。
【０００４】
これにより、表示装置の表示用スペースの有効利用を図っている。
【０００５】
この表示装置では、液晶パネルを透過照明する発光ダイオードを、指針を回動させる回動内機が実装された配線基板に実装し、この発光ダイオードの発する光を導光手段によって液晶パネルへ導いて透過照明させるように構成している。導光手段によって発光ダイオードの発する光を液晶パネルへ導く構成であるため、発光ダイオードを指針の回転中心側に設ける必要がない。これにより、指針計器の構造を複雑化することなく、液晶パネルを、指針計器の目視側（視認者側）であって指針の回転中心側に配置することできる。
【０００６】
また、この表示装置では、液晶パネルを複数の表示領域に分け、各表示領域を異なる種類の照明光で透過照明させる構成を開示している。具体的に、互いに異なる種類の光を発する発光ダイオードと導光手段とを表示領域ごとに設け、発光ダイオードの発する光を導光手段によって表示領域ごとに導く構成としている。これにより、各表示領域が示す情報を区別して視認させることができる。
【特許文献１】特開２００２−３９８０７号公報
【発明の開示】
【発明が解決しようとする課題】
【０００７】
特許文献１では、互いに隣接する表示領域の境界について記載されていない。しかし、この境界の背後には、互いに隣接する導光手段の端部が形成されている。端部がエッジ発光するため、この隣接する導光手段の一方の導光手段の端部が、この境界に、１本のライン状のエッジ光を発生させる。また、この隣接する導光手段の他方の導光手段の端部が、この境界に、別の１本のライン状のエッジ光を発生させる。この２本のライン状のエッジ光により、表示装置の見映えが低下する。
【０００８】
また、発光ダイオードの発する光を液晶パネルの表示領域まで導くため、導光手段は複雑な形状を有し、このため、導光手段に複数の角部が形成される。この角部もエッジ発光するため、表示領域の境界以外の表示領域にもエッジ光を発生させる恐れがある。この角部によるエッジ発光によっても、表示装置の見映えが低下する。
【０００９】
即ち、端部を含めた角部によるエッジ発光により、表示装置の見映えが低下する。
【００１０】
この問題は、指針計器の目視側であって指針の回転中心側に液晶パネルを設けた表示装置に限るものではなく、液晶パネルに限るものでもない。例えば、複数のインジケータがそれぞれシンボルマークとして形成された透光性板を、シンボルマークごとに個別に透過照明する場合や、文字盤を、領域ごとに個別に透過照明する場合でも、同様の問題が生じる。即ち、複数の表示領域を有し表示領域ごとに透過照明される表示手段を備えた表示装置に共通する問題である。
【００１１】
本発明は、上記の問題点に鑑みなされたもので、表示領域ごとに透過照明される表示手段において表示領域に発生するエッジ光を低減させた表示装置を提供することを目的とする。
【課題を解決するための手段】
【００１２】
本発明は上記目的を達成する為、以下の技術的手段を採用する。
【００１３】
請求項１に記載の表示装置は、２以上の表示領域を有する表示手段と、表示領域を透過照明する光源とを備え、光源の発する光を導いて表示領域を透過照明させる導光手段を、表示手段の背後側に表示領域ごとに備え、隣接する表示領域を透過照明させる導光手段において、一方の導光手段を、他方の導光手段より表示手段側に配設し、一方の導光手段が、他方の導光手段を表示手段側から覆う透光性部を備え、透光性部が、一方の導光手段において隣接する表示領域の境界の背後から全表示領域より外側の背後まで延出し、且つ、エッジ発光させる端部を含む角部が全表示領域内の背後で形成されないように設けられ、他方の導光手段が、透光性部を通して表示領域を透過照明させるように構成されていることを特徴とする。
【００１４】
この構成では、透光性部が、一方の導光手段において隣接する表示領域の境界の背後から全表示領域より外側の背後まで延出し、且つ、エッジ発光させる端部を含む角部が全表示領域内の背後で形成されないように設けられている。これにより、一方の導光手段に透光性部が形成されていない場合に、一方の導光手段の端部がこの境界に発生させていた１本のライン状のエッジ光が、全表示領域から除去される。
【００１５】
この結果、表示領域ごとに透過照明される表示手段において表示領域に発生するエッジ光を低減させた表示装置を提供できる。
【００１６】
請求項２に記載の表示装置は、表示領域を、表示手段において縦方向と横方向の少なくとも一方の方向へ配列することを特徴とする。
【００１７】
この構成でも、上述の効果を得ることができる。
【００１８】
請求項３に記載の表示装置は、導光手段が、導入した光源が発する光を表示領域へ反射する第１反射部と、導入した光源が発する光を第１反射部へ反射する第２反射部と、光源が発する光を第２反射部へ導く光導入部とを備え、光導入部が、第１反射部と第２反射部の距離を延長するように構成されていること特徴とする。
【００１９】
この構成では、光導入部が、第１反射部と第２反射部の距離を延長するように構成されている。ここで、第１反射部と第２反射部との距離を長くすると、表示領域の透過照明光の輝度ムラを小さくできるため、上述の効果に加えて、輝度ムラを抑えることができる。
【００２０】
請求項４に記載の表示装置は、一方の導光手段が備える第１反射部が、他方の導光手段に形成されているエッジ発光させる端部を含む角部を表示手段側から覆うように形成され且つ透光性部に形成されていないことを特徴とする。
【００２１】
この構成では、第１反射部が、他方の導光手段に形成されているエッジ発光させる端部を含む角部を表示手段側から覆うように形成されている。これにより、他方の導光手段に発生しているエッジ光が、全表示領域から除去される。この結果、表示領域ごとに透過照明される表示手段において表示領域に発生するエッジ光をより低減させた表示装置を提供できる。
【００２２】
請求項５に記載の表示装置は、一方の導光手段が、導入した光源が発する光を表示領域へ反射する第１反射部を備え、第１反射部が、他方の導光手段に形成されているエッジ発光させる端部を含む角部を表示手段側から覆うように形成され、且つ、透光性部に形成されていないことを特徴とする。
【００２３】
この構成では、第１反射部が、他方の導光手段に形成されているエッジ発光させる端部を含む角部を表示手段側から覆うように形成されている。これにより、他方の導光手段に発生しているエッジ光が、全表示領域から除去される。この結果、表示領域ごとに透過照明される表示手段において表示領域に発生するエッジ光をより低減させた表示装置を提供できる。
【００２４】
請求項６に記載の表示装置は、表示領域が表示領域ごとに異なる種類の光で透過照明されるように構成されていることを特徴とする。
【００２５】
この構成では、表示領域が表示領域ごとに異なる種類の光で透過照明されるように構成されているため、上述の効果を得つつ、各表示領域が示す情報を区別して視認させることができる。
【００２６】
請求項７に記載の表示装置は、光源が、異なる種類の光を発する光源を表示領域ごとに設けることによって構成されていることを特徴とする。
【００２７】
この構成では、光源が、表示領域ごとに設けられ、且つ、表示領域ごとに異なる種類の光を発する光源から構成されている。これにより、上述の効果を、簡易な構成で得ることができる。
【００２８】
請求項８に記載の表示装置は、異なる種類の光が、光の色と光の強度の少なくとも一方が異なる光であることを特徴とする。
【００２９】
この構成でも、上述の効果を得ることができる。
【００３０】
請求項９に記載の表示装置は、指標部を有する文字盤と、文字盤の目視側前面に沿って回動する指針と、指針を回動させる回動内機と、回動内機が実装された配線基板とを備え、表示手段が、指針より目視側であって指標部より指針の回転中心側に配置され、光源が、配線基板に実装されていることを特徴とする。
【００３１】
この構成でも、上述の効果を得ることができる。
【発明を実施するための最良の形態】
【００３２】
以下、本発明による表示装置を、自動車に搭載されるコンビネーションメータ１に適用した場合を例に図面に基づいて説明する。
【００３３】
（構成）
図１は、本発明の一実施形態による表示装置であるコンビネーションメータ１の部分正面図である。
【００３４】
図２は、図１中のＩＩ−ＩＩ線断面図である。
【００３５】
図３は、図２に示す表示ユニット１０の主要部の断面図である。
【００３６】
図４は、図３に示す表示ユニット１０の主要部品の説明図である。
【００３７】
図５は、図３に示す表示ユニット１０の比較例を示す断面図である。
【００３８】
図６は、本発明の一実施形態による表示装置であるコンビネーションメータ１の電気回路構成を説明する回路構成図である。
【００３９】
本発明の一実施形態による表示装置であるコンビネーションメータ１は、自動車の運転席前方の運転者から視認可能な位置に配設され、自動車に関する各種情報を表示するものである。コンビネーションメータ１は、図１に示すように、当該自動車の走行速度を指示する速度計、当該自動車の累積走行距離および区間走行距離を示す距離計、および、当該自動車のドアの開閉状態を指示するドアインジケータを備える。
【００４０】
速度計は、文字盤２とその目視側前面（図２において左側の面）を回動する指針３を備え、指針３の回動角度により速度を指示する指針計器として構成される。
【００４１】
文字盤２は、透光性材質、たとえば透明なポリカーボネート等の薄板から形成される。文字盤２は、図１と図２に示すように、その中央部に円形の凹部が設けられ、視認方向において、凹部の底面２ｂとその外周側の一般面２ａとの二段に構成される。また、底面２ｂは、後述する回動内機であるムーブメント４のシャフト４ａと同心上に形成される。底面２ｂには、図１に示すように、指標部である文字２ｃと目盛２ｄが形成される。一般面２２には、文字２ｃのみが形成される。文字２ｃと目盛２ｄは、後述する指針３とともに当該自動車の速度を指示するためのものであり、図１に示すように、それぞれ円弧上且つシャフト４ａと同心上に配置される。
【００４２】
文字２ｃと目盛２ｄは、文字盤２の表面（図２において左側の面）あるいは裏面（図２において右側の面）に印刷あるいはホットスタンプ等を施すことにより形成される。すなわち、文字２ｃと目盛２ｄ以外の部分に不透光性着色層あるいは半透光性着色層を設けると共に、文字２ｃと目盛２ｄを透明なままとする、あるいは半透光性着色層を設ける等の処理を施す。後述する、文字盤２の裏側に配置される発光ダイオード５ｂが点燈されると、それが発する光により文字盤２は透過照明されて、文字２ｃと目盛２ｄが発光表示される。
【００４３】
文字盤２の裏側（図２において右側）には、ケース６や配線基板であるプリント基板７が配置される。プリント基板７には、文字盤２を透過照明する発光ダイオード５ｂおよび指針３を発光表示させる発光ダイオード５ａが実装される。
【００４４】
また、プリント基板７には、ムーブメント４が実装される。ムーブメント４は、ステッピングモータ、あるいは交差コイル式回転機等の電気アクチュエータからなり、外部からの電気信号（本実施形態では自動車の速度信号）に対応した角度だけシャフト４ａを回動させるものである。ムーブメント４のシャフト４ａは、文字盤２の外方（図２において左方向）へ延出し、その先端には指針３が固定される。
【００４５】
指針３は、透光性材料、たとえばアクリル樹脂等により形成され、発光ダイオード５ａが発する光により発光表示される。
【００４６】
ケース６は、樹脂材料から成形され、リフレクタとしての機能を有し、発光ダイオード５ａからの光を指針３へ導き、発光ダイオード５ｂからの光を文字盤２へ導く。
【００４７】
また、プリント基板７には、発光ダイオード５ａ、５ｂの点燈・消燈制御およびムーブメント４の駆動制御を行なう制御装置８（図６）が実装される。制御装置８は、たとえばマイクロコンピュータ等から構成されている。
【００４８】
一方、累積走行距離および区間走行距離を示す距離計、および、ドアの開閉状態を指示するドアインジケータは、表示手段である液晶パネル１１上に、それぞれ画像として形成される。液晶パネル１１は、指針３より目視側（図２において左側）であって指針３の回転中心側に配置される。液晶パネル１１は、図１に示すように、境界１１ｄにより分けられた２個の互いに隣接する表示領域１１ａ、１１ｂを備え、表示領域１１ａがドアインジケータを構成し、表示領域１１ｂが距離計を構成する。
【００４９】
尚、表示領域１１ａと表示領域１１ｂを、液晶パネル１１において縦方向、即ち、図１において上下方向へ配列する。
【００５０】
液晶パネル１１は、電圧無印加時には透光性となり、電圧印加時には遮光性となるものを使用し、ドアインジケータと距離計が、それぞれ、表示領域１１ａ、１１ｂにおいてセグメントとして形成される。液晶パネル１１は、複線でフレキシブルなリードワイヤ１１ｆを介してプリント基板７と電気的に接続される。
【００５１】
液晶パネル１１の背後（図２において右側）には、液晶パネル１１を透過照明する光源である発光ダイオード１２ａ、１３ａと、発光ダイオード１２ａ、１３ａの発する光を導いて液晶パネル１１の表示領域１１ａ、１１ｂを透過照明させる導光手段である導光体１２、１３と、導光体１２、１３からの出射光を液晶パネル１１の裏面へ均一に導く拡散板１５が配置される。
【００５２】
透明カバー１７は、液晶パネル１１を保護する透明のカバーであり、液晶パネル１１と導光体１２、１３と拡散板１５と透明カバー１７は、ケーシング１８内に収容保持される。液晶パネル１１や導光体１２、１３等から表示ユニット１０が構成される。
【００５３】
ケーシング１８には開口部１８ａが設けられ、開口部１８ａの内側が、図１と図２に示すように、液晶パネル１１の全表示領域１１ａ、１１ｂを構成する。また、ケーシング１８は、ネジ穴が形成されたボス部１８ｂを備え、ボス部１８ｂは、ケース６の支持部６ａの穴部に挿入される。それから、ネジ６ｂを、プリント基板７と支持部６ａの貫通穴に挿通し、ボス部１８ｂのネジ穴に差し込んで締め付ける。これにより、表示ユニット１０がケース６（支持部６ａ）に対して固定され、同時に、プリント基板７もケース６に対して固定される。
【００５４】
発光ダイオード１２ａ、１３ａは、互いに異なる種類の光を発する光源であり、表示領域１１ａ、１１ｂごとに設けられる。即ち、発光ダイオード１３ａは、表示領域１１ｂを透過照明するために設けられた光源であり、例えば白色光を発する光源である。発光ダイオード１２ａは、表示領域１１ａを透過照明するために設けられた光源であり、発光ダイオード１３ａと異なる種類の光、具体的に、光の色が異なる光、例えば橙色の光を発する光源である。発光ダイオード１２ａ、１３ａは、プリント基板７に実装される。
【００５５】
尚、発光ダイオード１２ａ、１３ａは、それぞれ、図１において左右方向へ例えば４個配列され、発光ダイオード１２ａは、発光ダイオード１３ａに対して図１において下側へ配置される。
【００５６】
発光ダイオード１２ａ、１３ａの点燈・消燈制御および液晶パネル１１の駆動制御は、制御装置８によって行われる。
【００５７】
遮光ケース１６は、遮光性を有する黒色の樹脂等から形成され、発光ダイオード１２ａの光を導光体１３に導入させないようにさせる遮光部材であり、反対に、発光ダイオード１３ａの光を導光体１２に導入させないようにさせる遮光部材である。
【００５８】
導光体１２、１３は、透明なアクリル樹脂等で形成され、図２に示すように、液晶パネル１１の背後側（図２において右側）に表示領域１１ａ、１１ｂごとに設けられる。導光体１２、１３は、互いに隣接する表示領域１１ａ、１１ｂを透過照明させる導光手段である。導光体１２、１３は、ケーシング１８に対して図示しない引っかけ等により固定される。
【００５９】
導光体１２、１３は、図３に示すように、反射面１２ｂ、１３ｂと、導入した発光ダイオード１２ａ、１３ａの光を表示領域１１ａ、１１ｂへ反射する第１反射部であるシボ面１２ｃ、１３ｃとを備える。反射面１２ｂ、１３ｂは、導光体１２、１３に導入した発光ダイオード１２ａ、１３ａの光を、シボ面１２ｃ、１３ｃへ反射する反射面であり、微小の凹凸が形成されたシボ面１２ｃ、１３ｃは、反射面１２ｂ、１３ｂからの反射光を、表示領域１１ａ、１１ｂへ反射する反射面である。
【００６０】
即ち、反射面１２ｂが、導光体１２に導入された発光ダイオード１２ａの光をシボ面１２ｃへ反射し、シボ面１２ｃが、反射面１２ｂからの反射光を表示領域１１ａへ反射する。これにより、液晶パネル１１の表示領域１１ａが透過照明される。一方、反射面１３ｂが、導光体１３に導入された発光ダイオード１３ａの光をシボ面１３ｃへ反射し、シボ面１３ｃが、反射面１２ｂからの反射光を後述する透光性部１２ｄを通して表示領域１１ｂへ反射する。これにより、液晶パネル１１の表示領域１１ｂが透過照明される。
【００６１】
導光体１２のシボ面１２ｃは、導光体１３に形成されているエッジ発光させる端部Ｂ２を含む角部Ｂ３を覆うように形成され、且つ、遮光ケース１６が角部Ｂ３を覆うように配置されている。また、導光体１３の端部Ｂ１を、全表示領域より外側（図３においてケーシング１８の開口部１８ａより上側）の背後（図３において右側）まで延出させている。
【００６２】
端部Ｂ１、Ｂ２を含む角部Ｂ３は、導光体１３に導入された発光ダイオード１３ａの光を受けてエッジ発光する。しかし、端部Ｂ１のエッジ光は、ケーシング１８により遮光され、端部Ｂ２のエッジ光は、シボ面１２ｃにより遮光され、角部Ｂ３のエッジ光は、遮光ケース１６により遮光される。このため、端部Ｂ１、Ｂ２のエッジ光と角部Ｂ３のエッジ光は、全表示領域１１ａ、１１ｂから除去される。
【００６３】
導光体１２は、導光体１３より液晶パネル１１側（図３と図４において左側）に配設され、導光体１３を液晶パネル１１側から覆う透光性部１２ｄを備える。透光性部１２ｄは、境界１１ｄの背後（図３と図４において右側）から全表示領域より外側（図３と図４においてケーシング１８の開口部１８ａより上側）の背後（図３と図４において右側）まで延出し、且つ、エッジ発光させる端部を含む角部が全表示領域１１ａ、１１ｂ内（開口部１８ａの内側）の背後で形成されないように設けられている。
【００６４】
尚、図４では、液晶パネル１１の表示領域１１ａ、１１ｂと境界１１ｄと、導光体１２と、導光体１２の透光性部１２ｄと、導光体１３との各位置関係をわかり易くするため、これらを左右方向へ離して図示している。
【００６５】
透光性部１２ｄの端部Ａ１は、導光体１２に導入された発光ダイオード１２ａの光を受けてエッジ発光するが、このエッジ光は、ケーシング１８により遮光される。このため、透光性部１２ｄの端部Ａ１のエッジ光は、全表示領域１１ａ、１１ｂから除去される。また、透光性部１２ｄは、端部を含む角部が全表示領域１１ａ、１１ｂ内の背後で形成されないように設けられているため、全表示領域１１ａ、１１ｂ内でエッジ発光しない。
【００６６】
これに対して、図５（ａ）に示した比較例では、透光性部１２ｄを設けていないため、導光体１２の端部Ａ２は、導光体１２に導入された発光ダイオード１２ａの光を受けてエッジ光Ｅを発生させる。エッジ光Ｅが遮光されないため、ライン状のエッジ光を全表示領域内（開口部１８ａの内側）の所定の位置に発生させる。
【００６７】
また、導光体１３の端部Ｂ２は、導光体１３に導入された発光ダイオード１３ａの光を受けてエッジ発光する。このエッジ光も遮光されないため、ライン状のエッジ光を全表示領域内（開口部１８ａの内側）の所定の位置に発生させる。
【００６８】
さらに、これらのエッジ光の間に黒色の遮光ケース１６が視認されるため、この黒色のラインと導光体１２の端部Ａ２と導光体１３の端部Ｂ２のエッジ光の各ラインとによって液晶パネル１１の見映えが低下する。
【００６９】
図５（ｂ）に示した比較例では、透光性部１２ｄが形成されているが、端部Ａ２が残存しているため、導光体１２の端部Ａ２は、導光体１２に導入された発光ダイオード１２ａの光を受けてエッジ光Ｅを発生させる。エッジ光Ｅが遮光されないため、ライン状のエッジ光を全表示領域（開口部１８ａの内側）の所定の位置に発生させる。
【００７０】
また、導光体１３端部Ｂ２は、導光体１３に導入された発光ダイオード１３ａの光を受けてエッジ発光する。このエッジ光も遮光されないため、透光性部１２ｄを通してライン状のエッジ光を全表示領域（開口部１８ａの内側）の所定の位置に発生させる。
【００７１】
この結果、導光体１２の端部Ａ２と導光体１３の端部Ｂ２のエッジ光のラインによって液晶パネル１１の見映えが低下する。
【００７２】
尚、拡散板１５は、これらのエッジ光を充分に均一化できないため、エッジ光による液晶パネル１１の見映えの低下を防止することができない。
【００７３】
また、図５を見易くするため、導光体１３の端部Ｂ２から発生するエッジ光を、図５において省略している。
【００７４】
これに対して、本発明では、図３と図４に示すように、導光体１３端部Ｂ２が導光体１２のシボ面１２ｃによって覆われているため、端部Ｂ２のエッジ光は、シボ面１２ｃにより遮光される。これにより、端部Ｂ２のエッジ光は、全表示領域１１ａ、１１ｂから除去される。
【００７５】
また、透光性部１２ｄを、境界１１ｄの背後から全表示領域より外側の背後まで延出させ、且つ、エッジ発光させる端部を含む角部が全表示領域１１ａ、１１ｂ内の背後で形成されないように設けている。
【００７６】
これにより、本発明では、図３と図４に示すように、図５に示す導光体１２の端部Ａ２が消滅し、透光性部１２ｄの端部Ａ１も、導光体１２に導入された発光ダイオード１２ａの光を受けてエッジ発光するが、このエッジ光は、ケーシング１８により遮光される。このため、透光性部１２ｄを含む導光体１２のエッジ光は、全表示領域１１ａ、１１ｂから除去される。
【００７７】
この結果、エッジ光による液晶パネル１１の見映えの低下を抑えることができる。
【００７８】
以上説明した、本実施形態によるコンビネーションメータ１の電気回路構成について、図６に基づいて説明する。
【００７９】
制御装置８には、バッテリ２４から電力が常時供給されている。また、制御装置８は、イグニッションスイッチ２３が、その作動状態（オンまたはオフ）を検出可能に接続されている。
【００８０】
また、制御装置８には、各種のセンサ類が検出信号を入力可能に接続されているとともに、ムーブメント４や液晶パネル１１や発光ダイオード５ａ、５ｂ、１２ａ、１３ａが制御装置８により制御されるように接続されている。
【００８１】
各種センサ類としては、当該自動車の走行速度を検出する速度センサ２１、当該自動車の各ドアの半ドア状態を検出するドアセンサ２２がある。なお、半ドア状態とは、乗員が正常な閉位置にない、つまりドアの係止機構が完全な係止位置にない状態のことである。また、ドアセンサ２２は、運転席、助手席、後席右側、後席左側の各ドアの半ドア状態を検出するものである。
【００８２】
速度計および距離計は、速度センサ２１の検出信号に基づき制御または表示される。また、ドアインジケータは、ドアセンサ２２の検出信号に基づき表示される。
【００８３】
（作動）
上記構成において本実施形態の作動を説明する。
【００８４】
運転者によってイグニッションスイッチ２３がオンされると、図６において、制御装置８はイグニッションスイッチ２３がオンされたことを検知して、制御装置８は発光ダイオード５ａ、５ｂ、１２ａ、１３ａを点燈させる。これにより、速度計の文字盤２および指針３が発光表示されるとともに、液晶パネル１１が透過照明される。
【００８５】
また、制御装置８は、速度センサ２１からの検出信号に基づきムーブメント４を駆動して、シャフト４ａを所定角度、すなわち当該自動車の走行速度に対応する角度に回動させる。また、制御装置８は、液晶パネル１１を駆動して、当該自動車の走行距離を表示領域１１ｂに表示し、且つ速度センサ２１からの検出信号に基づき表示データを更新する。また、制御装置８は、液晶パネル１１を駆動して、ドアセンサ２２の検出信号に基づき各ドアの閉止状態を表示領域１１ａに表示する。
【００８６】
以下、発光ダイオード１２ａ、１３ａによる液晶パネル１１の透過照明について説明する。
【００８７】
発光ダイオード１２ａが発する橙色光は、図３に示す光路Ｐ１に従って、導光体１２と拡散板１５を通して液晶パネル１１の表示領域１１ａを橙色光で透過照明する。即ち、発光ダイオード１２ａが発する橙色光は、導光体１２に導入され、反射面１２ｂがこの導入光をシボ面１２ｃへ反射する。シボ面１２ｃは、この反射光を拡散板１５へ反射し、拡散板１５で均一化されて液晶パネル１１の表示領域１１ａを橙色光で透過照明する。
【００８８】
導光体１２では、透光性部１２ｄの端部Ａ１が、導光体１２に導入された発光ダイオード１２ａの光を受けてエッジ発光する。しかし、このエッジ光は、ケーシング１８により遮光されるため、透光性部１２ｄの端部Ａ１のエッジ光は、全表示領域１１ａ、１１ｂから除去される。
【００８９】
一方、発光ダイオード１３ａが発する白色光は、図３に示す光路Ｐ２に従って、導光体１３と導光体１２の透光性部１２ｄと拡散板１５を通して液晶パネル１１の表示領域１１ｂを白色光で透過照明する。即ち、発光ダイオード１３ａが発する白色光は、導光体１３に導入され、反射面１３ｂがこの導入光をシボ面１３ｃへ反射する。シボ面１３ｃは、この反射光を無色透明の透光性部１２ｄを通して拡散板１５へ反射し、この反射光が拡散板１５で均一化されて液晶パネル１１の表示領域１１ｂを白色光で透過照明する。
【００９０】
導光体１３では、その端部Ｂ１、Ｂ２と角部Ｂ３が、導光体１３に導入された発光ダイオード１３ａの光を受けてエッジ発光する。しかし、端部Ｂ１のエッジ光は、ケーシング１８により遮光され、端部Ｂ２のエッジ光は、導光体１２のシボ面１２ｃにより遮光され、角部Ｂ３のエッジ光は、遮光ケース１６により遮光される。
【００９１】
このため、これらのエッジ光は、全表示領域１１ａ、１１ｂから除去される。
【００９２】
この結果、図１において、液晶パネル１１の表示領域１１ａは、エッジ光を発生させないで且つ橙色光で透過照明されてドアインジケータを表示し、液晶パネル１１の表示領域１１ｂは、エッジ光を発生させないで且つ白色光で透過照明されて距離計を表示する。また、表示領域１１ａ、１１ｂの境界１１ｄは、橙色光と白色光の色の境界として視認される。
【００９３】
即ち、各表示領域１１ａ、１１ｂが示す情報を色で区別して視認させることができ、且つ、液晶パネル１１の表示領域１１ａ、１１ｂにおいて、エッジ発光を抑えることができる。
【００９４】
（変形例）
図７は、図３に示す表示ユニット１０の第１変形例を示す断面図である。
【００９５】
第１変形例では、図７に示すように、導光手段である導光体１４と光源である発光ダイオード１４ａを、図３に示す上述の例に対して追加する。これによって、液晶パネル１１の表示領域を、表示領域１１ａ、１１ｂ、１１ｃの３個としている。
【００９６】
発光ダイオード１４ａは、例えば黄色光を発する光源であり、遮光ケース１６ａは、遮光ケース１６と同様に、遮光性を有する黒色の樹脂等から形成された遮光部材である。遮光ケース１６ａは、発光ダイオード１３ａの光を導光体１４に導入させないようにさせる遮光部材であり、反対に、発光ダイオード１４ａの光を導光体１３に導入させないようにさせる遮光部材である。
【００９７】
導光体１４は、導光体１２、１３と同様に、透明なアクリル樹脂等で形成され、反射面１４ｂと、第１反射部であるシボ面１４ｃとを備える。導光体１３は、導光体１４より液晶パネル１１側（図７において左側）に配設され、導光体１４を液晶パネル１１側から覆う透光性部１３ｄを備える。
【００９８】
透光性部１３ｄは、表示領域１１ｂ、１１ｃの境界１１ｅの背後（図７において右側）から全表示領域より外側（図７においてケーシング１８の開口部１８ａより上側）の背後（図７において右側）まで延出し、且つ、エッジ発光させる端部を含む角部が全表示領域１１ａ、１１ｂ，１１ｃ内（開口部１８ａの内側）の背後で形成されないように設けられている。
【００９９】
尚、導光体１２の透光性部１２ｄは、透光性部１３ｄを包含する導光体１３を液晶パネル１１側から覆うように形成される。
【０１００】
透光性部１２ｄの端部Ａ１と透光性部１３ｄの端部Ｂ１は、導光体１２、１３に導入された発光ダイオード１２ａ、１３ａの光を受けて、それぞれエッジ発光するが、これらのエッジ光は、ケーシング１８により遮光される。このため、透光性部１２ｄ、１３ｄの端部Ａ１、Ｂ１の各エッジ光は、全表示領域１１ａ、１１ｂ、１１ｃから除去される。また、透光性部１２ｄ、１３ｄは、端部を含む角部が全表示領域１１ａ、１１ｂ、１１ｃ内の背後で形成されないように設けられているため、全表示領域１１ａ、１１ｂ、１１ｃ内でエッジ発光しない。
【０１０１】
導光体１３のシボ面１３ｃは、導光体１４に形成されているエッジ発光させる端部Ｃ２を含む角部Ｃ３を覆うように形成され、且つ、遮光ケース１６ａが角部Ｃ３を覆うように配置されている。また、導光体１４の端部Ｃ１を、全表示領域より外側（図７においてケーシング１８の開口部１８ａより上側）の背後（図７において右側）まで延出させている。
【０１０２】
端部Ｃ１、Ｃ２を含む角部Ｃ３は、導光体１４に導入された発光ダイオード１３ａの光を受けてエッジ発光する。しかし、端部Ｃ１のエッジ光は、ケーシング１８により遮光され、端部Ｃ２のエッジ光は、シボ面１３ｃにより遮光され、角部Ｃ３のエッジ光は、遮光ケース１６ａにより遮光される。このため、端部Ｃ１、Ｃ２のエッジ光と角部Ｃ３のエッジ光は、全表示領域１１ａ、１１ｂ、１１ｃから除去される。
【０１０３】
発光ダイオード１２ａが発する橙色光は、図７に示す光路Ｐ１に従って、導光体１２と拡散板１５を通して液晶パネル１１の表示領域１１ａを橙色光で透過照明する。また、発光ダイオード１３ａが発する白色光は、図７に示す光路Ｐ２に従って、導光体１３と導光体１２の透光性部１２ｄと拡散板１５を通して液晶パネル１１の表示領域１１ｂを白色光で透過照明する。
【０１０４】
一方、発光ダイオード１４ａが発する黄色光は、図７に示す光路Ｐ３に従って、導光体１３と導光体１２の透光性部１２ｄと導光体１３の透光性部１３ｄと拡散板１５を通して液晶パネル１１の表示領域１１ｃを黄色光で透過照明する。即ち、発光ダイオード１４ａが発する黄色光は、導光体１４に導入され、反射面１４ｂがこの導入光をシボ面１４ｃへ反射する。シボ面１４ｃは、この反射光を無色透明の透光性部１２ｄ、１３ｄを通して拡散板１５へ反射し、この反射光が拡散板１５で均一化されて液晶パネル１１の表示領域１１ｃを黄色光で透過照明する。
【０１０５】
導光体１４では、その端部Ｃ１、Ｃ２と角部Ｃ３が、導光体１４に導入された発光ダイオード１４ａの光を受けてエッジ発光する。しかし、端部Ｃ１のエッジ光は、ケーシング１８により遮光され、端部Ｃ２のエッジ光は、導光体１３のシボ面１３ｃにより遮光され、角部Ｃ３のエッジ光は、遮光ケース１６により遮光される。
【０１０６】
このため、これらのエッジ光は、全表示領域１１ａ、１１ｂ、１１ｃから除去される。
【０１０７】
この結果、液晶パネル１１の表示領域１１ａは、エッジ光を発生させないで且つ橙色光で透過照明されてドアインジケータを表示し、液晶パネル１１の表示領域１１ｂは、エッジ光を発生させないで且つ白色光で透過照明されて距離計を表示し、液晶パネル１１の表示領域１１ｃは、エッジ光を発生させないで且つ黄色光で透過照明されて他の情報を表示する。また、表示領域１１ａ、１１ｂの境界１１ｄは、橙色光と白色光の色の境界として視認され、表示領域１１ｂ、１１ｃの境界１１ｅは、黄色光と白色光の色の境界として視認される。
【０１０８】
即ち、各表示領域１１ａ、１１ｂ、１１ｃが示す情報を色で区別して視認させることができ、且つ、液晶パネル１１の表示領域１１ａ、１１ｂ、１１ｃにおいて、エッジ発光を抑えることができる。
【０１０９】
尚、本発明では、液晶パネル１１の表示領域を３以下に限る必要はなく、４以上にすることも可能である。
【０１１０】
図８は、図３に示す表示ユニット１０の第２変形例を示す断面図である。
【０１１１】
第２変形例では、図８に示すように、遮光ケース１６の湾曲した部分を廃止して、その代わりに遮光層１６ｂを導光体１３に形成する。遮光層１６ｂは、遮光性を有する材料で形成され、遮光ケース１６と同様に、発光ダイオード１２ａの光を導光体１３に導入させないようにさせる遮光部材であり、反対に、発光ダイオード１３ａの光を導光体１２に導入させないようにさせる遮光部材である。
【０１１２】
遮光ケース１６の湾曲した部分が廃止されているため、導光体１３の端部Ｂ２を、図８に示すように除去することができる。このため、導光体１２のシボ面１２ｃを、導光体１３に形成されているエッジ発光させる端部を含む角部を覆うように形成する必要がない。
【０１１３】
第２変形例においても、上述の効果を得ることができる。
【０１１４】
図９は、図３に示す表示ユニット１０の第３変形例を示す断面図である。
【０１１５】
第３変形例では、図９に示すように、シボ面１２ｃ、１３ｃの代わりに反射層１２ｅ、１３ｅを形成し、発光ダイオード１２ａと遮光ケース１６を廃止する。
【０１１６】
反射層１２ｅは、発光ダイオード１３ａの白色光を、例えば橙色光として反射する反射層であり、反射層１３ｅは、発光ダイオード１３ａの白色光を、そのまま白色光として反射する反射層である。このため、導光体１２、１３ごとに発光ダイオードを設ける必要がなく、発光ダイオード１３ａで共用することが可能となる。この結果、遮光ケース１６が不要となり、これを廃止することができる。
【０１１７】
発光ダイオード１３ａが発する白色光は、図９に示す光路Ｐ１に従って、導光体１２と拡散板１５を通して液晶パネル１１の表示領域１１ａを橙色光で透過照明する。即ち、発光ダイオード１３ａが発する白色光の一部は、導光体１２に導入され、反射面１２ｂがこの導入光を反射層１２ｅへ反射する。反射層１２ｅは、この白色の反射光を受けて、拡散板１５へ橙色光として反射し、この反射光が拡散板１５で均一化されて液晶パネル１１の表示領域１１ｃを橙色光で透過照明する。
【０１１８】
一方、発光ダイオード１３ａが発する白色光は、図９に示す光路Ｐ２に従って、導光体１３と導光体１２の透光性部１２ｄと拡散板１５を通して液晶パネル１１の表示領域１１ｂを白色光で透過照明する。即ち、発光ダイオード１３ａが発する白色光の残部は、導光体１３に導入され、反射面１３ｂがこの導入光を反射層１３ｅへ反射する。反射層１３ｅは、この白色の反射光を受けて、拡散板１５へそのまま白色光として反射し、この反射光が拡散板１５で均一化されて液晶パネル１１の表示領域１１ｃを白色光で透過照明する。
【０１１９】
これにより、第３変形例においても、上述の効果を得ることができる。
【０１２０】
図１０は、図１に示す表示装置であるコンビネーションメータ１の変形例を示す部分正面図である。
【０１２１】
図１１は、図１０に示す光源である発光ダイオード１２ａ、１３ａと開口部１８ａに対して、導光手段である導光体１２，１３の配置を示す正面図である。
【０１２２】
図１２は、図１１（ａ）中のＸＩＩ−ＸＩＩ線断面図である。
【０１２３】
本変形例では、図１０に示すように、表示領域１１ａと表示領域１１ｂを、液晶パネル１１において横方向、即ち、図１０において左右方向へ配列する。表示領域１１ａ、１１ｂの配列変更に伴ない、発光ダイオード１２ａと発光ダイオード１３ａを、図１０において左右方向へ離して配置し、発光ダイオード１２ａを、図１０において左側から右側へ向かって下側へ傾斜させて配置し、発光ダイオード１３ａを、図１０において右側から左側へ向かって下側へ傾斜させて配置する。また、発光ダイオード１２ａ、１３ａの配置変更に伴ない、開口部１８ａの形状も図１に示す形状から図１０に示す形状へ変更する。
【０１２４】
また、発光ダイオード１２ａ、１３ａの配置変更に伴ない、光路Ｐ１に従って表示領域１１ａを透過照明させる導光手段である導光体１２と、光路Ｐ２に従って表示領域１１ｂを透過照明させる導光手段である導光体１３を、光源である発光ダイオード１２ａ、１３ａと開口部１８ａに対して、図１１と図１２に示すように構成する。即ち、発光ダイオード１２ａと発光ダイオード１３ａを、図１０において左右方向へ離して配置したことに伴なって、反射面１２ｂ、１３ｂを、図１１と図１２において左右方向へ離して配置する。
【０１２５】
尚、本変形例でも、遮光ケース１６、導光体１２、１３のシボ面１２ｃ、１３ｃ、導光体１２の透光性部１２ｄ、および導光体１３の端部Ｂ２を、図１２に示すように、図３に示した例と同様に構成するため、上述と同様の効果を得ることができる。
【０１２６】
図１３は、図１に示す表示装置であるコンビネーションメータ１の他の変形例を示す部分正面図である。
【０１２７】
図１４は、図１３中のＸＩＶ−ＸＩＶ線断面図である。
【０１２８】
図１５は、図１４に示す表示ユニット１０の主要部の断面図である。
【０１２９】
本変形例では、ケーシング１８を、図１３において下方側へ延出させ、図１４に示すように、導光体１２の代わりに、導光体１２１と光導入部である導光体１２２を設ける。導光体１２１は、図１４に示す光路Ｐ１１に従って、導入した発光ダイオード１２ａが発する光を表示領域１１ａへ反射する第１反射部であるシボ面１２１ｃと、導入した発光ダイオード１２ａが発する光をシボ面１２１ｃへ反射する第２反射部とである反射面１２１ｂとを備える。導光体１２２を、図１４に示す光路Ｐ１１に従って発光ダイオード１２ａが発する光を反射面１２１ｂへ導くように、図１４において下側へ延出させて形成する。これに伴なって、導光体１２１は、シボ面１２１ｃと反射面１２１ｂの距離を延長するように形成される。
【０１３０】
導光体１２１と導光体１２２を、図１４において下側へ延出させて形成するため、ケーシング１８を、図１３と図１４において下方側へ延出させて形成する。導光体１２２を下側へ延出させて形成するため、ケーシング１８（導光体１２１と導光体１２２）がケース６と文字盤２と干渉しないように省スペースで、シボ面１２１ｃと反射面１２１ｂの距離を延長できる。尚、導光体１２１と導光体１２２を、図１４において下側へ延出させて形成するため、これに伴なうように、遮光ケース１６を上下方向に厚く形成する。
【０１３１】
ここで、シボ面１２１ｃと反射面１２１ｂの距離を長くできれば、光路Ｐ１１に従った表示領域１１ａの透過照明光の輝度ムラを小さくできる。これは、反射面１２１ｂからの反射光の光束が、シボ面１２１ｃと反射面１２１ｂの距離に応じて導光体１２１内で広がるため、この距離に応じて、表示領域１１ａの透過照明光の輝度が均一化されるためである。
【０１３２】
導光体１２２よってシボ面１２１ｃと反射面１２１ｂの距離を延長させることを、図１５に基づいて導光体１２の場合と比較して説明する。尚、一点鎖線で示す導光体１２は、図３に示す導光体１２であり、図１５を見易くするため、導光体１３と遮光ケース１６を省略している。
【０１３３】
導光体１２においてシボ面１２ｃと反射面１２ｂの距離を、その最短距離であるＬ１として、導光体１２２においてシボ面１２１ｃと反射面１２１ｂの距離を、その最短距離であるＬ２として、これらを比較して説明する。これは、シボ面１２ｃ、１２１ｃと反射面１２ｂ、１２１ｂの最短距離で最も輝度ムラが生じ易いため、それらの最短距離で比較して説明すれば足りるからである。
【０１３４】
導光体１２においてシボ面１２ｃと反射面１２ｂの最短距離Ｌ１は、ケーシング１８の開口１８ａを右側へ延長してシボ面１２ｃと交差する基準点Ｄ１と、基準点Ｄ１と反射面１２ｂとの最短距離の基準点Ｄ２とを結んだ線の距離である。また、導光体１２１においてシボ面１２１ｃと反射面１２１ｂの最短距離Ｌ２は、基準点Ｄ１と、基準点Ｄ１と反射面１２１ｂとの最短距離の基準点Ｄ３とを結んだ線の距離である。導光体１２２よって、最短距離Ｌ１から最短距離Ｌ２に延長され、即ち、シボ面１２ｃと反射面１２ｂの距離から、シボ面１２１ｃと反射面１２１ｂの距離へ延長され、これにより、光路Ｐ１１に従った表示領域１１ａの透過照明光の輝度ムラを抑えることができる。
【０１３５】
尚、導光体１２１と導光体１２２を、樹脂成形によって一体的に形成することが可能であり、スペース上の制約がなければ、導光体１２１を図１５において右側へ直線的に延出させて形成することが可能である。この場合、発光ダイオード１２ａを図１５において下側へ移動させて配置する。
【０１３６】
また、表示領域１１ａに限らないで、表示領域１１ｂ、１１ｃ（図３と図７）の透過照明光の輝度ムラを抑えるように構成することも可能である。
【０１３７】
以上説明したように、本発明による表示装置であるコンビネーションメータ１は、２以上の表示領域１１ａ、１１ｂ、１１ｃを有する表示手段である液晶パネル１１と、表示領域１１ａ、１１ｂ、１１ｃを透過照明する光源である発光ダイオード１２ａ、１３ａ、１４ａとを備え、発光ダイオード１２ａ、１３ａ、１４ａの発する光を導いて表示領域１１ａ、１１ｂ、１１ｃを透過照明させる導光手段である導光体１２，１３，１４を、液晶パネル１１の背後側に表示領域１１ａ、１１ｂ、１１ｃごとに備え、隣接する表示領域１１ａ、１１ｂを透過照明させる導光体１２、１３において、一方の導光体１２を、他方の導光体１３より液晶パネル１１側に配設し、一方の導光体１２が、他方の導光体１３を液晶パネル１１側から覆う透光性部１２ｄを備え、透光性部１２ｄが、一方の導光体１２において隣接する表示領域１１ａ、１１ｂの境界１１ｄの背後から全表示領域１１ａ、１１ｂ、１１ｃより外側の背後まで延出し、且つ、エッジ発光させる端部Ａ１を含む角部が全表示領域１１ａ、１１ｂ、１１ｃ内の背後で形成されないように設けられ、他方の導光体１３が、透光性部１２ｄを通して表示領域１１ｂを透過照明させるように構成されている。
【０１３８】
また、隣接する表示領域１１ｂ、１１ｃを透過照明させる導光体１３、１４において、一方の導光体１３を、他方の導光体１４より液晶パネル１１側に配設し、一方の導光体１３が、他方の導光体１４を液晶パネル１１側から覆う透光性部１３ｄを備え、透光性部１３ｄが、一方の導光体１３において隣接する表示領域１１ｂ、１１ｃの境界１１ｅの背後から全表示領域１１ａ、１１ｂ、１１ｃより外側の背後まで延出し、且つ、エッジ発光させる端部Ｂ１を含む角部が全表示領域１１ａ、１１ｂ、１１ｃ内の背後で形成されないように設けられ、他方の導光体１４が、透光性部１３ｄ、１４ｄを通して表示領域１１ｃを透過照明させるように構成されている。
【０１３９】
これにより、表示領域ごとに透過照明される表示手段において表示領域に発生するエッジ光を低減させた表示装置を提供できる。
【０１４０】
尚上述の例では、透光性部１２ｄ、１３ｄを無色透明としたが、色相を有する透光性部とすることも可能である。例えば、図９において、導光体１２，１３を、互いに異なる色を有する透明樹脂で形成して、反射層１２ｅ、１３ｅの代わりにシボ面１２ｃ、１３ｃを形成する。これにより、図９に示す光路Ｐ１の透過照明光は、発光ダイオード１３ａの白色光が導光体１２で着色された光となり、図９に示す光路Ｐ２の透過照明光は、発光ダイオード１３ａの白色光が導光体１３と導光体１２の透光性部１２ｄで着色された光となる。
【０１４１】
この場合においても、上述の効果を得ることができる。
【０１４２】
尚、上述の実施形態や変形例では、液晶パネル１１を指針３の目視側であって指針３の回転中心側に配置しているが、これに限る必要はない。
【０１４３】
また、上述の例では、表示手段として、液晶パネル１１を構成したが、これに限るものではない。例えば、表示手段を、複数のインジケータがそれぞれシンボルマークとして形成された透光性板を、シンボルマークごとに個別に透過照明する構成とすることも可能であり、文字盤を、領域ごとに個別に透過照明する構成とすることも可能である。
【０１４４】
また、本発明は、上述の例に限らず、これらの組み合わせや、他の種々の変形例が考えられる。
【図面の簡単な説明】
【０１４５】
【図１】図１は、本発明の一実施形態による表示装置であるコンビネーションメータ１の部分正面図である。
【図２】図２は、図１中のＩＩ−ＩＩ線断面図である。
【図３】図３は、図２に示す表示ユニット１０の主要部の断面図である。
【図４】図４は、図３に示す表示ユニット１０の主要部品の説明図である。
【図５】図５は、図３に示す表示ユニット１０の比較例を示す断面図である。
【図６】図６は、本発明の一実施形態による表示装置であるコンビネーションメータ１の電気回路構成を説明する回路構成図である。
【図７】図７は、図３に示す表示ユニット１０の第１変形例を示す断面図である。
【図８】図８は、図３に示す表示ユニット１０の第２変形例を示す断面図である。
【図９】図９は、図３に示す表示ユニット１０の第３変形例を示す断面図である。
【図１０】図１０は、図１に示す表示装置であるコンビネーションメータ１の変形例を示す部分正面図である。
【図１１】図１１は、図１０に示す光源である発光ダイオード１２ａ、１３ａと開口部１８ａに対して、導光手段である導光体１２，１３の配置を示す正面図である。
【図１２】図１２は、図１１（ａ）中のＸＩＩ−ＸＩＩ線断面図である。
【図１３】図１３は、図１に示す表示装置であるコンビネーションメータ１の他の変形例を示す部分正面図である。
【図１４】図１４は、図１３中のＸＩＶ−ＸＩＶ線断面図である。
【図１５】図１５は、図１４に示す表示ユニット１０の主要部の断面図である。
【符号の説明】
【０１４６】
１  コンビネーションメータ（表示装置）
２  文字盤、２ａ  一般面、２ｂ  底面、２ｃ  文字（指標部）、２ｄ  目盛（指標部）
３  指針、４  ムーブメント（回動内機）、４ａ  シャフト
５ａ、５ｂ  発光ダイオード、６  ケース、６ａ  支持部、６ｂ  ネジ
７  プリント基板（配線基板）、８  制御装置
１０  表示ユニット、１１  液晶パネル（表示手段）、１１ａ―１１ｃ  表示領域
１１ｄ、１１ｅ  境界、１１ｆ  リードワイヤ
１２−１４，１２１  導光体（導光手段）、１２２  導光体（光導入部）
１２ａ―１４ａ  発光ダイオード（光源）、１２ｂ―１４ｂ  反射面（第２反射部）
１２ｃ―１４ｃ  シボ面（第１反射部）、１２ｄ―１４ｄ  透光性部
１２ｅ、１３ｅ  反射層（第１反射部）、１５  拡散板、１６、１６ａ  遮光ケース
１６ｂ  遮光層、１７  透明カバー、１８  ケーシング、１８ａ  開口部
１８ｂ  ボス部、２１  速度センサ、２２  ドアセンサ
２３  イグニッションスイッチ、２４  バッテリ
Ａ１―Ｃ３  端部（角部）、Ｄ１−Ｄ３  基準点、Ｌ１、Ｌ２  距離
【図１】
2008026854.tif 000003
【図２】
2008026854.tif 000004
【図３】
2008026854.tif 000005
【図４】
2008026854.tif 000006
【図５】
2008026854.tif 000007
【図６】
2008026854.tif 000008
【図７】
2008026854.tif 000009
【図８】
2008026854.tif 000010
【図９】
2008026854.tif 000011
【図１０】
2008026854.tif 000012
【図１１】
2008026854.tif 000013
【図１２】
2008026854.tif 000014
【図１３】
2008026854.tif 000015
【図１４】
2008026854.tif 000016
【図１５】
2008026854.tif 000017